(57)【要約】  エレベーター監視装置（１２）と、ＬＴＥ回線網（３０）のＡＰＮ１に常時接続されるＬＴＥ端末（１３）と、ＡＰＮ１に接続されてエレベーター監視装置（１２）との間でデータの授受を行う第１監視センター（４１）と、を含み、ＬＴＥ回線網（３０）を介して第１エレベーター（１１）の遠隔監視を行う無線遠隔監視システム（１００）であって、エレベーター監視装置（１２）は、第１監視センター（４１）との間の接続が確立できない場合に、ＬＴＥ端末（１３）の常時接続先をＡＰＮ１から第２監視センター（４２）が接続されているＡＰＮ２に切換えて、第２監視センター（４２）との間でデータの授受を行う。これにより、ＬＴＥ回線に異常が発生した場合に簡便な方法で遠隔監視のバックアップができる。
2019207765.tif 000002
【特許請求の範囲】
【請求項１】
エレベーターに接続されて前記エレベーターの運行状態を監視するエレベーター監視装置と、
前記エレベーター監視装置に接続され、ＬＴＥ回線網の中の１のアクセスポイントに常時接続されるＬＴＥ端末と、
前記ＬＴＥ回線網の前記１のアクセスポイントに接続されて前記エレベーター監視装置との間でデータの授受を行う１の監視センターと、を含み、
前記ＬＴＥ回線網を介して前記エレベーターの遠隔監視を行う無線遠隔監視システムであって、
前記エレベーター監視装置は、前記１の監視センターとの間の接続が確立できない場合に、前記ＬＴＥ端末の常時接続先を前記１のアクセスポイントから他の監視センターが接続されている他のアクセスポイントに切換えて、前記他の監視センターとの間でデータの授受を行うこと、
を特徴とする無線遠隔監視システム。
【請求項２】
請求項１に記載の無線遠隔監視システムであって、
前記エレベーター監視装置は、前記ＬＴＥ端末の常時接続先を前記他のアクセスポイントに切換えた場合には、前記他のアクセスポイントとの常時接続を所定期間だけ保持すること、
を特徴とする無線遠隔監視システム。
【請求項３】
請求項２に記載の無線遠隔監視システムであって、
前記エレベーター監視装置は、前記ＬＴＥ端末の常時接続先を前記他のアクセスポイントに切換えた後、所定のインターバルで前記ＬＴＥ端末と前記１のアクセスポイントとの間の接続状態を確認し、前記１のアクセスポイントとの間の接続が確立できた場合には、前記ＬＴＥ端末の常時接続先を前記１のアクセスポイントに戻すこと、
を特徴とする無線遠隔監視システム。
【請求項４】
請求項１から３のいずれか１項に記載の無線遠隔監視システムにおいて、
前記エレベーター監視装置は、前記ＬＴＥ端末が所定回数だけ前記１の監視センターとの間の接続の確立に失敗した場合、前記ＬＴＥ端末の常時接続先を切換えること、
を特徴とする無線遠隔監視システム。
【請求項５】
請求項１から３のいずれか１項に記載の無線遠隔監視システムであって、
前記エレベーター監視装置は、前記エレベーターのかごの中に乗客が閉じ込められた状態で、前記ＬＴＥ端末が前記１の監視センターとの間の接続の確立に失敗した場合、前記ＬＴＥ端末の常時接続先を切換えること、
を特徴とする無線遠隔監視システム。
【請求項６】
請求項１から３のいずれか１項に記載の無線遠隔監視システムであって、
前記エレベーター監視装置は、地震が発生した際には、前記ＬＴＥ端末の常時接続先を切換えずに、前記１のアクセスポイントおよび前記他のアクセスポイントと異なる第３アクセスポイントを介して地震時のエレベーター状態信号を地震時データ受信サーバに送信すること、
を特徴とする無線遠隔監視システム。
【請求項７】
請求項１から３のいずれか１項に記載の無線遠隔監視システムであって、
前記１の監視センターは、前記エレベーター監視装置との間の接続が確立できない場合に、ＳＭＳで常時接続先切換え指令のショートメールを前記ＬＴＥ端末に発信し、
前記エレベーター監視装置は、前記ＬＴＥ端末が前記ショートメールを受信した場合に、前記ＬＴＥ端末の常時接続先を前記１のアクセスポイントから前記他の監視センターが接続されている他のアクセスポイントに切換えて、前記他の監視センターとの間でデータの授受を行うこと、
を特徴とする無線遠隔監視システム。
【請求項８】
第１国に設置されたエレベーターに接続されて前記エレベーターの運行状態を監視するエレベーター監視装置と、
前記エレベーター監視装置に接続され、ＬＴＥ回線網の中の１のアクセスポイントに常時接続されるＬＴＥ端末と、
前記第１国に設置され、前記ＬＴＥ回線網の前記１のアクセスポイントに接続されて前記エレベーター監視装置との間でデータの授受を行う１の監視センターと、を含み、
前記ＬＴＥ回線網を介して前記エレベーターの遠隔監視を行う無線遠隔監視システムであって、
前記エレベーター監視装置は、前記１の監視センターとの間の接続が確立できない場合に、前記ＬＴＥ端末の常時接続先を前記１のアクセスポイントから、前記第１国と異なる第２国に設置された他の監視センターが接続されている他のアクセスポイントに切換えて、前記第２国の前記他の監視センターとの間でデータの授受を行うこと、
を特徴とする無線遠隔監視システム。
【請求項９】
請求項８に記載の無線遠隔監視システムであって、
前記他の監視センターは、前記第２国の電話通信網を介して前記ＬＴＥ回線網に接続されていること、
を特徴とする無線遠隔監視システム。
【発明の詳細な説明】
【技術分野】
【０００１】
本発明は、ＬＴＥ回線網を用いたエレベーターの無線遠隔監視システムの構造に関する。
【背景技術】
【０００２】
エレベーターの遠隔監視システムは、無線通信によってエレベーター監視装置と監視センターとの間のデータ授受を行うものが用いられている。無線通信回線としてはＬＴＥ回線と３Ｇ回線とを併用して用い、電波強度或いは基地局障害等により、ＬＴＥ回線の接続が確立できない場合にはＬＴＥ回線を３Ｇ回線に切換えてデータの授受を行う方法が提案されている（例えば、特許文献１，２参照）。
【先行技術文献】
【特許文献】
【０００３】
【特許文献１】特開２０１６−２０８２９６号公報
【特許文献２】特許第６１５３９０２号明細書
【発明の概要】
【発明が解決しようとする課題】
【０００４】
ところで、ＬＴＥ回線網を通じて監視センターとエレベーター監視装置との間の通信を行う場合、エレベーター監視装置側のＬＴＥ端末は１つのアクセスポイントに常時接続されるので、ＬＴＥ端末と１つのアクセスポイントとの間で接続障害が発生すると、ＬＴＥ端末と監視センターとの間の通信を行うことができなくなってしまい、エレベーターの遠隔監視を行うことができなくなってしまう。【０００５】
この場合、複数のアクセスポイントを用いてＬＴＥ端末と監視センターとの通信のバックアップを行うことが考えられる。しかし、ＬＴＥ端末は、常時接続しているアクセスポイント以外のアクセスポイントからの信号を受信できないので、他のアクセスポイントを用いて通信のバックアップを行うことが難しかった。【０００６】
また、エレベーター監視装置に複数のＬＴＥ端末を接続し、監視センターとの間の通信回線を二重化して通信のバックアップを行うことが考えられるが、システムが複雑になってしまうという問題があった。【０００７】
そこで、本発明は、ＬＴＥ回線網を用いた遠隔監視システムにおいて、ＬＴＥ回線に異常が発生した場合に、簡便な方法で遠隔監視のバックアップを行うことを目的とする。
【課題を解決するための手段】
【０００８】
本発明の無線遠隔監視システムは、エレベーターに接続されて前記エレベーターの運行状態を監視するエレベーター監視装置と、前記エレベーター監視装置に接続され、ＬＴＥ回線網の中の１のアクセスポイントに常時接続されるＬＴＥ端末と、前記ＬＴＥ回線網の前記１のアクセスポイントに接続されて前記エレベーター監視装置との間でデータの授受を行う１の監視センターと、を含み、前記ＬＴＥ回線網を介して前記エレベーターの遠隔監視を行う無線遠隔監視システムであって、前記エレベーター監視装置は、前記１の監視センターとの間の接続が確立できない場合に、前記ＬＴＥ端末の常時接続先を前記１のアクセスポイントから他の監視センターが接続されている他のアクセスポイントに切換えて、前記他の監視センターとの間でデータの授受を行うこと、を特徴とする。【０００９】
これにより、ＬＴＥ端末と常時接続先のアクセスポイントとの間の接続障害の発生によりエレベーター監視装置と１の監視センターとの間のデータ授受ができない場合でも、常時接続先のアクセスポイントを切換えることにより、エレベーター監視装置と他の監視センターとの間でデータ授受が可能となり、他の監視センターによりエレベーターの遠隔監視をバックアップすることができる。【００１０】
本発明の無線遠隔遠視システムにおいて、前記エレベーター監視装置は、前記ＬＴＥ端末の常時接続先を前記他のアクセスポイントに切換えた場合には、前記他のアクセスポイントとの常時接続を所定期間だけ保持すること、としてもよい。【００１１】
常時接続先のアクセスポイントを切換えたら所定期間その状態を保持することにより、他の監視センターからエレベーター監視装置へのアクセスを確保し、遠隔監視のバックアップ状態が解除されることを抑制できる。【００１２】
本発明の無線遠隔遠視システムにおいて、前記エレベーター監視装置は、前記ＬＴＥ端末の常時接続先を前記他のアクセスポイントに切換えた後、所定のインターバルで前記ＬＴＥ端末と前記１のアクセスポイントとの間の接続状態を確認し、前記１のアクセスポイントとの間の接続が確立できた場合には、前記ＬＴＥ端末の常時接続先を前記１のアクセスポイントに戻すこと、としてもよい。【００１３】
このように、通常の監視センターからの遠隔監視に戻すことにより、他の監視センターの遠隔監視の負荷を通常状態に下げることができる。【００１４】
本発明の無線遠隔監視システムにおいて、前記エレベーター監視装置は、前記ＬＴＥ端末が所定回数だけ前記１の監視センターとの間の接続の確立に失敗した場合、前記ＬＴＥ端末の常時接続先を切換えること、としてもよい。【００１５】
これにより、煩雑に常時接続先のアクセスポイントの切換えが発生することを抑制できる。【００１６】
本発明の無線遠隔監視システムにおいて、前記エレベーター監視装置は、前記エレベーターのかごの中に乗客が閉じ込められた状態で、前記ＬＴＥ端末が前記１の監視センターとの間の接続の確立に失敗した場合、前記ＬＴＥ端末の常時接続先を切換えること、としてもよい。【００１７】
これにより、閉じ込めの発生とＬＴＥ端末と常時接続先のアクセスポイントとの間の接続障害の発生とが重なった場合に、エレベーター監視装置と監視センターとの間のデータの授受を短時間で回復させることができる。【００１８】
本発明の無線遠隔監視システムにおいて、前記エレベーター監視装置は、地震が発生した際には、前記ＬＴＥ端末の常時接続先を切換えずに、前記１のアクセスポイントおよび前記他のアクセスポイントと異なる第３アクセスポイントを介して地震時のエレベーター状態信号を地震時データ受信サーバに送信すること、としてもよい。【００１９】
地震発生の場合には多くのＬＴＥ端末とアクセスポイントとの間の接続障害が発生することが想定される。この場合、多くのＬＴＥ端末のアクセスポイントを一度に切換えてしまうと他の監視センターの監視能力を超えてしまう場合がある。このため、地震時にはアクセスポイントの切換を行わずに第３のアクセスポイントを介してデータを地震時データ受信サーバに送信し、無線遠隔監視システム全体の機能が低下することを抑制できる。【００２０】
本発明の無線遠隔監視システムにおいて、前記１の監視センターは、前記エレベーター監視装置との間の接続が確立できない場合に、ＳＭＳで常時接続先切換え指令のショートメールを前記ＬＴＥ端末に発信し、前記エレベーター監視装置は、前記ＬＴＥ端末が前記ショートメールを受信した場合に、前記ＬＴＥ端末の常時接続先を前記１のアクセスポイントから前記他の監視センターが接続されている他のアクセスポイントに切換えて、前記他の監視センターとの間でデータの授受を行うこと、としてもよい。【００２１】
通常、ＬＴＥ端末の常時接続先の切換えは、エレベーター監視装置が行い、監視センターから直接切換えることができないが、これにより、監視センターからアクセスポイントの切換えを行うことが可能となる。【００２２】
本発明の無線遠隔監視システムは、第１国に設置されたエレベーターに接続されて前記エレベーターの運行状態を監視するエレベーター監視装置と、前記エレベーター監視装置に接続され、ＬＴＥ回線網の中の１のアクセスポイントに常時接続されるＬＴＥ端末と、前記第１国に設置され、前記ＬＴＥ回線網の前記１のアクセスポイントに接続されて前記エレベーター監視装置との間でデータの授受を行う１の監視センターと、を含み、前記ＬＴＥ回線網を介して前記エレベーターの遠隔監視を行う無線遠隔監視システムであって、前記エレベーター監視装置は、前記１の監視センターとの間の接続が確立できない場合に、前記ＬＴＥ端末の常時接続先を前記１のアクセスポイントから、前記第１国と異なる第２国に設置された他の監視センターが接続されている他のアクセスポイントに切換えて、前記第２国の前記他の監視センターとの間でデータの授受を行うこと、を特徴とする。また、本発明の無線遠隔監視システムにおいて、前記他の監視センターは、前記第２国の電話通信網を介して前記ＬＴＥ回線網に接続されていること、としてもよい。【００２３】
これにより、他の国に設置された監視センターでエレベーターの遠隔監視のバックアップを行うことができる。
【発明の効果】
【００２４】
本発明は、ＬＴＥ回線網を用いた遠隔監視システムにおいて、ＬＴＥ回線に異常が発生した場合に、簡便な方法で遠隔監視のバックアップを行うことができる。
【図面の簡単な説明】
【００２５】
【図１】実施形態の無線遠隔監視システムの構成を示す系統図である。
【図２】実施形態の無線遠隔監視システムの動作を示すフローチャートである。
【図３】アクセスポイントの切換え後の無線遠隔監視システムを示す系統図である。
【図４】実施形態の無線遠隔監視システムの他の動作を示すフローチャートである。
【図５】他の動作によるアクセスポイントの切換え後の無線遠隔遠視システムを示す系統図である。
【図６】他の実施形態の無線遠隔監視システムの構成を示す系統図である。
【図７】アクセスポイント切換え後の他の無線遠隔監視システムを示す系統図である。
【発明を実施するための形態】
【００２６】
＜無線遠隔監視システムの構成＞
以下、図面を参照しながら実施形態の無線遠隔監視システム１００について説明する。図１に示すように、第１、第２エレベーター１１，２１の遠隔監視を行う無線遠隔監視システム１００は、第１、第２エレベーター監視装置１２，２２（以下、ＭＯＰ１，ＭＯＰ２という）と、第１、第２ＬＴＥ端末１３，２３（以下、ＬＴＥ１、ＬＴＥ２という）と、ＬＴＥ回線網３０と、第１、第２監視センター４１、４２と、第１、第２地震時データ受信サーバ４３，４４とを含んでいる。
【００２７】
第１地域、第２地域に設置されている第１、第２監視センター４１，４２は、それぞれ、第１地域、第２地域に設置されている第１、第２エレベーター１１，２１の監視を行う。なお、第１、第２監視センター４１，４２は、それぞれ複数台のエレベーター１１，２１を監視してもよい。ここで、第１地域、第２地域とは、例えば、東日本と西日本とであってもよい。この場合、東日本に設置されているエレベーターの遠隔監視は東日本に設置されている監視センターが行い、西日本に設置されているエレベーターの遠隔監視は西日本に設置されている監視センターが行う。第１、第２監視センター４１，４２は、第１、第２エレベーター１１，２１の各データを格納するサーバと操作盤などで構成されてもよい。
【００２８】
ＭＯＰ１，ＮＯＰ２は、それぞれ第１、第２エレベーター１１、２１に接続されて第１、第２エレベーター１１，２１の各制御装置から第１、第２エレベーター１１，２１の運行状態を示すデータ、或いは故障信号等を取得し、格納する。ＭＯＰ１，ＭＯＰ２には、それぞれＬＴＥ１、ＬＴＥ２が接続されている。ＭＯＰ１，ＭＯＰ２は内部に情報処理を行うＣＰＵとメモリとを含むコンピュータで構成してもよい。
【００２９】
ＬＴＥ回線網３０は、ＡＰＮ１〜ＡＰＮ４の４つのアクセスポイントを含んでいる。ＬＴＥ１は１のアクセスポイントであるＡＰＮ１に、ＬＴＥ２は他のアクセスポイントであるＡＰＮ２に常時接続されている。第１監視センター４１、第２監視センター４２は、それぞれ、ＡＰＮ１，ＡＰＮ２に接続されている。また、第１、第２監視センター４１，４２には、それぞれ、ＬＴＥ１、ＬＴＥ２にショートメールを発信するショートメールシステム（以下、ＳＭＳという）が取付けられている。
【００３０】
第１地域、第２地域に設置されている第１地震時データ受信サーバ４３、第２地震時データ受信サーバ４４は、それぞれ、ＡＰＮ３、ＡＰＮ４に接続されている。
【００３１】
ＬＴＥ回線の接続状態が正常の場合には、図１の一点鎖線９１に示すように、ＭＯＰ１は、第１エレベーター１１の運行状態を示すデータ或いは故障信号等をエレベーター１１の制御装置から取得し、格納すると共に、そのデータをＬＴＥ１、ＡＰＮ１を介して第１監視センター４１に送信する。また、第１監視センター４１は、ポーリングによってＡＰＮ１、ＬＴＥ１を介してＭＯＰ１にアクセスし、ＭＯＰ１から第１エレベーター１１の運転データ等を取得する。また、第１監視センター４１は、ＡＰＮ１、ＬＴＥ１を介して第１エレベーター１１のかごの中のインターホンに接続し、かごの中の乗客と通話する。このように、ＭＯＰ１と第１監視センター４１とは、ＡＰＮ１を介してデータの授受を行う。
【００３２】
同様に、ＭＯＰ２は、図１の一点鎖線９２に示すようにＡＰＮ２を介して第２監視センター４２とデータの授受を行う。
【００３３】
地震が発生した場合には、ＭＯＰ１は、図１の二点鎖線９３に示すようにＬＴＥ１をＡＰＮ４に接続し、図１の破線９４に示すように第２地震時データ受信サーバ４４に地震発生時の運転データや故障信号などのエレベーター状態信号を出力する。同様に、ＭＯＰ２は、図１の二点鎖線９５に示すようにＬＴＥ２をＡＰＮ３に接続し、図１の破線９６に示すように第１地震時データ受信サーバ４３に地震発生時の運転データや故障信号などのエレベーター状態信号を出力する。このように、ＭＯＰ１，ＭＯＰ２は地震発生時には、第１、第２エレベーター１１，２１が設置されている地域と異なる地域に設置されている地震時データ受信サーバにデータを送信する。なお、ＡＰＮ３，ＡＰＮ４は第３アクセスポイントに相当する。
【００３４】
＜ＭＯＰ１の動作＞
次に、図２、図３を参照しながらＬＴＥ１とＡＰＮ１との間の接続障害が発生した場合の無線遠隔監視システム１００の動作について説明する。なお、以下の説明では、ＭＯＰ１の動作について説明する。なお、ＭＯＰ２の動作はＭＯＰ１の動作と同様である。
【００３５】
図２のステップＳ１０１に示すように、ＭＯＰ１は起動時にＬＴＥ１の常時接続先をＡＰＮ１とする。ＭＯＰ１は,起動時にＬＴＥ１の常時接続先がＡＰＮ１となっていない場合には、ＬＴＥ１の常時接続先をＡＰＮ１としてＬＴＥ１を再起動してＬＴＥの常時接続先をＬＴＥ１とする。
【００３６】
図２のステップＳ１０２に示すように、ＭＯＰ１は、ＬＴＥ１とＡＰＮ１との接続が確立しているかどうかを判断する。ＡＰＮ１との接続が確立している場合には接続障害が発生していないと判断して、図２のステップＳ１０３に進み、ＬＴＥ１とＡＰＮ１との常時接続を保持し、ステップＳ１０４に示すように、１の監視センターである第１監視センター４１との間でデータの授受を行う。
【００３７】
一方、ＭＯＰ１は、図２のステップＳ１０２で、ＬＴＥ１とＡＰＮ１との接続が確立できない場合には通信障害が発生していると判断して、図２のステップＳ１０５に進む。ステップＳ１０５において、ＭＯＰ１は、例えば、第１エレベーター１１のインターホンボタンが押し続けられている、或いは、戸開ボタンが押し続けられているようにかごの中に乗客が閉じ込められている状態が発生していると判断した場合には、図２のステップＳ１０８に進んでＬＴＥ１の常時接続先をＡＰＮ１からＡＰＮ２に切換える。これにより、図３に示すように、ＬＴＥ１はＡＰＮ２と常時接続される。ＭＯＰ１は図２のステップＳ１０９に進んで、図３の一点鎖線９１ａに示すようにＡＰＮ２に接続されている他の監視センターである第２監視センター４２との間でデータの授受を行う。
【００３８】
これにより、かごの中の乗客は、インターホンを通じて第２監視センター４２の監視員と通話することができるようになる。このように、閉じ込めが発生とＡＰＮ１と接続障害の発生とが重なった場合に、ＭＯＰ１と監視センターとの間のデータの授受を短時間で回復させることができる。
【００３９】
また、ＭＯＰ１は、図２のステップＳ１０５でＮＯと判断した場合には、図２のステップＳ１０６に進んで、所定回数だけ接続回復動作をしたかどうかを確認する。そして、図２のステップＳ１０６でＮＯと判断した場合には、図２のステップＳ１０７に進んで、ＬＴＥ１にＡＰＮ１との接続動作を行わせ、図２のステップＳ１０２に戻ってＡＰＮ１との接続が確立したかどうか確認する。ここで、所定回数は、自由に設定できるが、例えば、３回、５回、１０回等に設定してもよい。
【００４０】
ＭＯＰ１は、接続回復動作でＡＰＮ１との接続が確立された場合には、図２のステップＳ１０２でＹＥＳと判断して図２のステップＳ１０３、Ｓ１０４に進み、ＡＰＮ１を介して第１監視センター４１との間でデータの授受を行う。
【００４１】
一方、所定回数だけ接続回復動作を行ってもＡＰＮ１との接続を確立できず、接続障害の状態が続く場合には、ＭＯＰ１は、図２のステップＳ１０２、Ｓ１０６でＹＥＳと判断して図２のステップＳ１０８に進んでＬＴＥ１の常時接続先を図３に示すようにＡＰＮ１からＡＰＮ２に切換え、図２のステップＳ１０９に進んで図３の一点鎖線９１ａに示すように、ＡＰＮ２に接続されている他の監視センターである第２監視センター４２との間でデータの授受を行う。
【００４２】
ＭＯＰ１は、図２のステップＳ１０９で第２監視センター４２との間でデータの授受を行ったら、図２のステップＳ１１０に示すように、所定の期間が経過するまで、ＬＴＥ１とＡＰＮ２との常時接続状態を保持する。ここで、所定の期間は、例えば、３０分、或いは、１時間などに設定することができる。
【００４３】
このように、所定回数だけ接続回復動作を行っても接続障害が継続する場合に常時接続先のアクセスポイントの切換えを行い、所定期間だけ切換え状態を保持するので、煩雑に常時接続先のアクセスポイントの切換えが発生することを抑制できる。また、アクセスポイントをＡＰＮ２に切換えた際の第２監視センター４２からＭＯＰ１へのアクセスを確実に行うことができる。
【００４４】
ＭＯＰ１は、所定期間が経過し図２のステップＳ１１０でＹＥＳと判断したら、図２のステップＳ１１１に進んでＬＴＥ１とＡＰＮ１との接続動作を実行する。そして、図２のステップＳ１１２でＬＴＥ１とＡＰＮ１との接続が確立したら、図２のステップＳ１１３に進み、ＬＴＥ１の常時接続先をＡＰＮ２からＡＰＮ１に戻し、図２のステップＳ１０３に進んでＬＴＥ１をＡＰＮ１と常時接続する。すると、無線遠隔監視システム１００は、図１に示す系統構成にもどる。そして、ＭＯＰ１は、図２のステップＳ１０４に進んで第１監視センター４１との間でデータの授受を行う。
【００４５】
一方、ＭＯＰ１は、図２のステップＳ１１２でＬＴＥ１とＡＰＮ１との接続が確立できない場合には、図２のステップＳ１１３に進んで、所定のインターバルだけ待機し、所定のインターバルだけ時間が経過したら、図２のステップＳ１１１に戻ってＬＴＥ１とＡＰＮ１との接続動作を実行する。ここで、所定のインターバルは、例えば、１０分、或いは３０分程度とすることができる。
【００４６】
ＭＯＰ１は、ＬＴＥ１とＡＰＮ１との接続が確立するまで、図２のステップＳ１１１からステップＳ１１３の動作を繰り返し、ＬＴＥ１とＡＰＮ１との接続が確立したら、図２のステップＳ１１３でＬＴＥ１の常時接続先をＡＰＮ２からＡＰＮ１に戻し、図２のステップＳ１０３、Ｓ１０４に進んでＬＴＥ１をＡＰＮ１と常時接続して第１監視センター４１との間でデータの授受を行う。
【００４７】
このように、ＭＯＰ１はＬＴＥ１の所定期間経過後にＡＰＮ１との接続を確立する動作を所定のインターバルで継続して行い、ＬＴＥ１とＡＰＮ１との接続が確立したら、常時接続先をＡＰＮ２からＡＰＮ１に戻して第１監視センター４１との間でデータの授受を行うので、遠隔監視のバックアップで高くなっていた第２監視センター４２の負荷を下げて、通常の状態に戻すことができる。
【００４８】
＜第１、第２監視センターの動作＞
次に図４、図５を参照しながら第１監視センター４１の動作について説明する。なお、第２監視センター４２の動作は、第１監視センター４１の動作と同様である。
【００４９】
第１監視センター４１は、図４のステップＳ２０１に示すようにＭＯＰ１にポーリング信号を発信し、ＭＯＰ１に第１エレベーター１１の運転データ等を発信させる。従って、図５に示すように、第１監視センター４１とＡＰＮ１との間の接続が不良となった場合、ＭＯＰ１は第１監視センター４１からポーリング信号を受信せず、データの発信を行わないので、第１監視センター４１との間に接続障害が発生していること検知できない場合がある。この場合、ＭＯＰ１は常時接続先の切換えを行わない。一方、第１監視センター４１は、直接、ＬＴＥ１にアクセスしてＬＴＥ１の常時接続先を切換えることはできない。このため、ＭＯＰ１と第１監視センター４１との間のデータ授受ができない状態が継続してしまう場合がある。
【００５０】
そこで、第１監視センター４１は、図４のステップＳ２０１のＭＯＰ１へのポーリング動作の際にポーリング信号の送受信を行えない場合には、図４のステップＳ２０２でＭＯＰ１との接続が確立していないと判断して図４のステップＳ２０４に進んで所定回数だけポーリング動作に失敗したかどうかを判断する。そして、所定の回数だけポーリング動作に失敗した場合には、図４のステップＳ２０４でＹＥＳと判断して図４のステップＳ２０５に進み、図５に示すように、ＬＴＥ回線網において通信のバックアップを行うには、ＳＭＳ４５からＬＴＥ１に常時接続先切換え指令のショートメールを送信する。ＬＴＥ１は、このショートメールを受信したら所定の信号をＭＯＰ１に出力する。ＭＯＰ１は、この所定の信号が入力されたら、図２のステップＳ１０８、Ｓ１０９を実行し、図５に示すように常時接続先のアクセスポイントをＡＰＮ１からＡＰＮ２に切換える。この常時接続先のアクセスポイントの切換えには１〜２分程度の時間がかかる。
【００５１】
第１監視センター４１がＳＭＳでＬＴＥ１にショートメールを発信した２〜３分後で常時接続先のアクセスポイントの切換えが終了した頃に、第２監視センター４２は、図２のステップＳ２０６に示すように、ＭＯＰ１へのポーリング動作を行い、図２のステップＳ２０７、Ｓ２０８、図５の一点鎖線９１ａに示すように、ＭＯＰ１から第１エレベーター１１の運転データ等を取得する。第２監視センター４２は、図４のステップＳ２０７、Ｓ２０８に示すように、所定期間だけＭＯＰ１との間のデータ授受を行った後、図４のステップＳ２０９に進んでＭＯＰ１との間のデータ授受を停止し、図４のステップ２０１に戻って第１監視センター４１からＭＯＰ１へのポーリング動作を行う。そして、図４のステップＳ２０２で、ＭＯＰ１との接続が確立したら図４のステップＳ２０３に進み、第１監視センター４１とＭＯＰ１との間でデータの授受を行う。
【００５２】
以上のような動作により、第１監視センター４１からＬＴＥ１の常時接続先のアクセスポイントを切換えることができるので、第１監視センター４１とＡＰＮ１との間で接続障害が発生した場合でも、遠隔監視のバックアップを行うことができる。
【００５３】
＜地震発生の場合の動作＞
地震発生の場合には多くのＬＴＥ１とＡＰＮ１との間の接続障害が発生することが想定される。この場合、多くのＬＴＥ１のアクセスポイントをＡＰＮ１からＡＰＮ２一度に切換えてしまうと第２監視センター４２の監視能力を超えてしまう場合がある。そこで、ＭＯＰ１は、地震が発生によりＬＴＥ１とＡＰＮ１との間に接続障害が発生した場合には、ＬＴＥ１の常時接続先をＡＰＮ１からＡＰＮ２に切換えずにＡＰＮ４を介して地震時のエレベーター状態信号を第２地震時データ受信サーバ４４に送信する。これにより、無線遠隔監視システム１００全体の機能が低下することを抑制する。地震時のＭＯＰ２の動作は、ＭＯＰ１の動作と同様である。
【００５４】
＜他の実施形態の無線遠隔監視システム＞
図６、図７を参照しながら、他の実施形態の無線遠隔監視システム２００について説明する。先に図１を参照して説明した無線遠隔監視システム１００と同様の部分には、同様の符号を付して説明は省略する。
【００５５】
無線遠隔監視システム２００は、図６に示すように、第１エレベーター１１、第１監視センター４１が第１国に設置されており、第２エレベーター２１、第２監視センター４２が第１国と異なる第２国に設置されているものである。通常は、第１国に設置されている第１エレベーター１１の遠隔監視は第１国に設置されている第１監視センター４１が行い、第２国に設置とされている第２エレベーター２１の遠隔監視は、第２国の第２監視センター４２が行っている。
【００５６】
図７に示すようにＬＴＥ１とＡＰＮ１との間の接続が確立できいな場合には、ＭＯＰ１は,ＬＴＥ１の常時接続先のアクセスポイントを第２監視センター４２が接続されているＡＰＮ２に切換える。そして、第１国に設置されている第１エレベーター１１の遠隔監視を第２国に設置されている第２監視センター４２によって実行する。
【００５７】
これにより、より広範囲に設置されている多くのエレベーターの遠隔監視のバックアップを行うことができる。
【００５８】
なお、第２監視センター４２は、第２国の電話通信網を介してＬＴＥ回線網３０に接続されているように構成してもよい。
【符号の説明】
【００５９】
１１，２１  エレベーター、１２，２２  エレベーター監視装置（ＭＯＰ１，ＭＯＰ２）、１３，２３  ＬＴＥ端末（ＬＴＥ１，ＬＴＥ２）、３０  ＬＴＥ回線網、４１，４２  監視センター、４３，４４  地震時データ受信サーバ、４５，４５  ＳＭＳ  １００，２００  無線遠隔監視システム。
【図１】
2019207765.tif 000003
【図２】
2019207765.tif 000004
【図３】
2019207765.tif 000005
【図４】
2019207765.tif 000006
【図５】
2019207765.tif 000007
【図６】
2019207765.tif 000008
【図７】
2019207765.tif 000009
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
エレベーターに接続されて前記エレベーターの運行状態を監視するエレベーター監視装置と、
前記エレベーター監視装置に接続され、ＬＴＥ回線網の中の１のアクセスポイントに常時接続され、常時接続しているアクセスポイント以外のアクセスポイントからの通信を受信できないＬＴＥ端末と、
前記ＬＴＥ回線網の前記１のアクセスポイントに接続されて前記エレベーター監視装置との間でデータの授受を行う１の監視センターと、を含み、
前記ＬＴＥ回線網を介して前記エレベーターの遠隔監視を行う無線遠隔監視システムであって、
前記エレベーター監視装置は、前記１の監視センターとの間の接続が確立できない場合に、前記ＬＴＥ端末の常時接続先を前記１のアクセスポイントから他の監視センターが接続されている他のアクセスポイントに切換えて、前記他の監視センターとの間でデータの授受を行うこと、
を特徴とする無線遠隔監視システム。
【請求項２】
請求項１に記載の無線遠隔監視システムであって、
前記エレベーター監視装置は、前記ＬＴＥ端末の常時接続先を前記他のアクセスポイントに切換えた場合には、前記他のアクセスポイントとの常時接続を所定期間だけ保持すること、
を特徴とする無線遠隔監視システム。
【請求項３】
請求項２に記載の無線遠隔監視システムであって、
前記エレベーター監視装置は、前記ＬＴＥ端末の常時接続先を前記他のアクセスポイントに切換えた後、所定のインターバルで前記ＬＴＥ端末と前記１のアクセスポイントとの間の接続状態を確認し、前記１のアクセスポイントとの間の接続が確立できた場合には、前記ＬＴＥ端末の常時接続先を前記１のアクセスポイントに戻すこと、
を特徴とする無線遠隔監視システム。
【請求項４】
請求項１から３のいずれか１項に記載の無線遠隔監視システムにおいて、
前記エレベーター監視装置は、前記ＬＴＥ端末が所定回数だけ前記１の監視センターとの間の接続の確立に失敗した場合、前記ＬＴＥ端末の常時接続先を切換えること、
を特徴とする無線遠隔監視システム。
【請求項５】
請求項１から３のいずれか１項に記載の無線遠隔監視システムであって、
前記エレベーター監視装置は、前記エレベーターのかごの中に乗客が閉じ込められた状態で、前記ＬＴＥ端末が前記１の監視センターとの間の接続の確立に失敗した場合、前記ＬＴＥ端末の常時接続先を切換えること、
を特徴とする無線遠隔監視システム。
【請求項６】
請求項１から３のいずれか１項に記載の無線遠隔監視システムであって、
前記エレベーター監視装置は、地震が発生した際には、前記ＬＴＥ端末の常時接続先を切換えずに、前記１のアクセスポイントおよび前記他のアクセスポイントと異なる第３アクセスポイントを介して地震時のエレベーター状態信号を地震時データ受信サーバに送信すること、
を特徴とする無線遠隔監視システム。
【請求項７】
請求項１から３のいずれか１項に記載の無線遠隔監視システムであって、
前記１の監視センターは、前記エレベーター監視装置との間の接続が確立できない場合に、ＳＭＳで常時接続先切換え指令のショートメールを前記ＬＴＥ端末に発信し、
前記エレベーター監視装置は、前記ＬＴＥ端末が前記ショートメールを受信した場合に、前記ＬＴＥ端末の常時接続先を前記１のアクセスポイントから前記他の監視センターが接続されている他のアクセスポイントに切換えて、前記他の監視センターとの間でデータの授受を行うこと、
を特徴とする無線遠隔監視システム。
【請求項８】
第１国に設置されたエレベーターに接続されて前記エレベーターの運行状態を監視するエレベーター監視装置と、
前記エレベーター監視装置に接続され、ＬＴＥ回線網の中の１のアクセスポイントに常時接続され、常時接続しているアクセスポイント以外のアクセスポイントからの通信を受信できないＬＴＥ端末と、
前記第１国に設置され、前記ＬＴＥ回線網の前記１のアクセスポイントに接続されて前記エレベーター監視装置との間でデータの授受を行う１の監視センターと、を含み、
前記ＬＴＥ回線網を介して前記エレベーターの遠隔監視を行う無線遠隔監視システムであって、
前記エレベーター監視装置は、前記１の監視センターとの間の接続が確立できない場合に、前記ＬＴＥ端末の常時接続先を前記１のアクセスポイントから、前記第１国と異なる第２国に設置された他の監視センターが接続されている他のアクセスポイントに切換えて、前記第２国の前記他の監視センターとの間でデータの授受を行うこと、
を特徴とする無線遠隔監視システム。
【請求項９】
請求項８に記載の無線遠隔監視システムであって、
前記他の監視センターは、前記第２国の電話通信網を介して前記ＬＴＥ回線網に接続されていること、
を特徴とする無線遠隔監視システム。
【手続補正２】
【補正対象書類名】明細書
【補正対象項目名】０００８
【補正方法】変更
【補正の内容】
【０００８】
本発明の無線遠隔監視システムは、エレベーターに接続されて前記エレベーターの運行状態を監視するエレベーター監視装置と、前記エレベーター監視装置に接続され、ＬＴＥ回線網の中の１のアクセスポイントに常時接続され、常時接続しているアクセスポイント以外のアクセスポイントからの通信を受信できないＬＴＥ端末と、前記ＬＴＥ回線網の前記１のアクセスポイントに接続されて前記エレベーター監視装置との間でデータの授受を行う１の監視センターと、を含み、前記ＬＴＥ回線網を介して前記エレベーターの遠隔監視を行う無線遠隔監視システムであって、前記エレベーター監視装置は、前記１の監視センターとの間の接続が確立できない場合に、前記ＬＴＥ端末の常時接続先を前記１のアクセスポイントから他の監視センターが接続されている他のアクセスポイントに切換えて、前記他の監視センターとの間でデータの授受を行うこと、を特徴とする。
【手続補正３】
【補正対象書類名】明細書
【補正対象項目名】００２２
【補正方法】変更
【補正の内容】
【００２２】
本発明の無線遠隔監視システムは、第１国に設置されたエレベーターに接続されて前記エレベーターの運行状態を監視するエレベーター監視装置と、前記エレベーター監視装置に接続され、ＬＴＥ回線網の中の１のアクセスポイントに常時接続され、常時接続しているアクセスポイント以外のアクセスポイントからの通信を受信できないＬＴＥ端末と、前記第１国に設置され、前記ＬＴＥ回線網の前記１のアクセスポイントに接続されて前記エレベーター監視装置との間でデータの授受を行う１の監視センターと、を含み、前記ＬＴＥ回線網を介して前記エレベーターの遠隔監視を行う無線遠隔監視システムであって、前記エレベーター監視装置は、前記１の監視センターとの間の接続が確立できない場合に、前記ＬＴＥ端末の常時接続先を前記１のアクセスポイントから、前記第１国と異なる第２国に設置された他の監視センターが接続されている他のアクセスポイントに切換えて、前記第２国の前記他の監視センターとの間でデータの授受を行うこと、を特徴とする。また、本発明の無線遠隔監視システムにおいて、前記他の監視センターは、前記第２国の電話通信網を介して前記ＬＴＥ回線網に接続されていること、としてもよい。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
エレベーターに接続されて前記エレベーターの運行状態を監視するエレベーター監視装置と、
前記エレベーター監視装置に接続され、ＬＴＥ回線網の中の１のアクセスポイントに常時接続され、常時接続しているアクセスポイント以外のアクセスポイントからの通信を受信できないＬＴＥ端末と、
前記ＬＴＥ回線網の前記１のアクセスポイントに接続されて前記エレベーター監視装置との間でデータの授受を行う１の監視センターと、を含み、
前記ＬＴＥ回線網を介して前記エレベーターの遠隔監視を行う無線遠隔監視システムであって、
前記エレベーター監視装置は、前記１の監視センターとの間の接続が確立できない場合に、前記ＬＴＥ端末の常時接続先を前記１のアクセスポイントから他の監視センターが接続されている他のアクセスポイントに切換えて、前記他の監視センターとの間でデータの授受を行い、
前記１の監視センターは、前記エレベーター監視装置との間の接続が確立できない場合に、ＳＭＳで常時接続先切換え指令のショートメールを前記ＬＴＥ端末に発信し、
前記エレベーター監視装置は、前記ＬＴＥ端末が前記ショートメールを受信した場合に、前記ＬＴＥ端末の常時接続先を前記１のアクセスポイントから前記他の監視センターが接続されている他のアクセスポイントに切換えて、前記他の監視センターとの間でデータの授受を行うこと、
を特徴とする無線遠隔監視システム。
【請求項２】
請求項１に記載の無線遠隔監視システムであって、
前記エレベーター監視装置は、前記ＬＴＥ端末の常時接続先を前記他のアクセスポイントに切換えた場合には、前記他のアクセスポイントとの常時接続を所定期間だけ保持すること、
を特徴とする無線遠隔監視システム。
【請求項３】
請求項２に記載の無線遠隔監視システムであって、
前記エレベーター監視装置は、前記ＬＴＥ端末の常時接続先を前記他のアクセスポイントに切換えた後、所定のインターバルで前記ＬＴＥ端末と前記１のアクセスポイントとの間の接続状態を確認し、前記１のアクセスポイントとの間の接続が確立できた場合には、前記ＬＴＥ端末の常時接続先を前記１のアクセスポイントに戻すこと、
を特徴とする無線遠隔監視システム。
【請求項４】
請求項１から３のいずれか１項に記載の無線遠隔監視システムにおいて、
前記エレベーター監視装置は、前記ＬＴＥ端末が所定回数だけ前記１の監視センターとの間の接続の確立に失敗した場合、前記ＬＴＥ端末の常時接続先を切換えること、
を特徴とする無線遠隔監視システム。
【請求項５】
請求項１から３のいずれか１項に記載の無線遠隔監視システムであって、
前記エレベーター監視装置は、前記エレベーターのかごの中に乗客が閉じ込められた状態で、前記ＬＴＥ端末が前記１の監視センターとの間の接続の確立に失敗した場合、前記ＬＴＥ端末の常時接続先を切換えること、
を特徴とする無線遠隔監視システム。
【請求項６】
請求項１から３のいずれか１項に記載の無線遠隔監視システムであって、
前記エレベーター監視装置は、地震が発生した際には、前記ＬＴＥ端末の常時接続先を切換えずに、前記１のアクセスポイントおよび前記他のアクセスポイントと異なる第３アクセスポイントを介して地震時のエレベーター状態信号を地震時データ受信サーバに送信すること、
を特徴とする無線遠隔監視システム。
【請求項７】
第１国に設置されたエレベーターに接続されて前記エレベーターの運行状態を監視するエレベーター監視装置と、
前記エレベーター監視装置に接続され、ＬＴＥ回線網の中の１のアクセスポイントに常時接続され、常時接続しているアクセスポイント以外のアクセスポイントからの通信を受信できないＬＴＥ端末と、
前記第１国に設置され、前記ＬＴＥ回線網の前記１のアクセスポイントに接続されて前記エレベーター監視装置との間でデータの授受を行う１の監視センターと、を含み、
前記ＬＴＥ回線網を介して前記エレベーターの遠隔監視を行う無線遠隔監視システムであって、
前記エレベーター監視装置は、前記１の監視センターとの間の接続が確立できない場合に、前記ＬＴＥ端末の常時接続先を前記１のアクセスポイントから、前記第１国と異なる第２国に設置された他の監視センターが接続されている他のアクセスポイントに切換えて、前記第２国の前記他の監視センターとの間でデータの授受を行い、
前記１の監視センターは、前記エレベーター監視装置との間の接続が確立できない場合に、ＳＭＳで常時接続先切換え指令のショートメールを前記ＬＴＥ端末に発信し、
前記エレベーター監視装置は、前記ＬＴＥ端末が前記ショートメールを受信した場合に、前記ＬＴＥ端末の常時接続先を前記１のアクセスポイントから前記他の監視センターが接続されている他のアクセスポイントに切換えて、前記他の監視センターとの間でデータの授受を行うこと、
を特徴とする無線遠隔監視システム。
【請求項８】
請求項７に記載の無線遠隔監視システムであって、
前記他の監視センターは、前記第２国の電話通信網を介して前記ＬＴＥ回線網に接続されていること、
を特徴とする無線遠隔監視システム。
【手続補正２】
【補正対象書類名】明細書
【補正対象項目名】０００８
【補正方法】変更
【補正の内容】
【０００８】
本発明の無線遠隔監視システムは、エレベーターに接続されて前記エレベーターの運行状態を監視するエレベーター監視装置と、前記エレベーター監視装置に接続され、ＬＴＥ回線網の中の１のアクセスポイントに常時接続され、常時接続しているアクセスポイント以外のアクセスポイントからの通信を受信できないＬＴＥ端末と、前記ＬＴＥ回線網の前記１のアクセスポイントに接続されて前記エレベーター監視装置との間でデータの授受を行う１の監視センターと、を含み、前記ＬＴＥ回線網を介して前記エレベーターの遠隔監視を行う無線遠隔監視システムであって、前記エレベーター監視装置は、前記１の監視センターとの間の接続が確立できない場合に、前記ＬＴＥ端末の常時接続先を前記１のアクセスポイントから他の監視センターが接続されている他のアクセスポイントに切換えて、前記他の監視センターとの間でデータの授受を行い、前記１の監視センターは、前記エレベーター監視装置との間の接続が確立できない場合に、ＳＭＳで常時接続先切換え指令のショートメールを前記ＬＴＥ端末に発信し、前記エレベーター監視装置は、前記ＬＴＥ端末が前記ショートメールを受信した場合に、前記ＬＴＥ端末の常時接続先を前記１のアクセスポイントから前記他の監視センターが接続されている他のアクセスポイントに切換えて、前記他の監視センターとの間でデータの授受を行うこと、を特徴とする。
【手続補正３】
【補正対象書類名】明細書
【補正対象項目名】００２２
【補正方法】変更
【補正の内容】
【００２２】
本発明の無線遠隔監視システムは、第１国に設置されたエレベーターに接続されて前記エレベーターの運行状態を監視するエレベーター監視装置と、前記エレベーター監視装置に接続され、ＬＴＥ回線網の中の１のアクセスポイントに常時接続され、常時接続しているアクセスポイント以外のアクセスポイントからの通信を受信できないＬＴＥ端末と、前記第１国に設置され、前記ＬＴＥ回線網の前記１のアクセスポイントに接続されて前記エレベーター監視装置との間でデータの授受を行う１の監視センターと、を含み、前記ＬＴＥ回線網を介して前記エレベーターの遠隔監視を行う無線遠隔監視システムであって、前記エレベーター監視装置は、前記１の監視センターとの間の接続が確立できない場合に、前記ＬＴＥ端末の常時接続先を前記１のアクセスポイントから、前記第１国と異なる第２国に設置された他の監視センターが接続されている他のアクセスポイントに切換えて、前記第２国の前記他の監視センターとの間でデータの授受を行い、前記１の監視センターは、前記エレベーター監視装置との間の接続が確立できない場合に、ＳＭＳで常時接続先切換え指令のショートメールを前記ＬＴＥ端末に発信し、前記エレベーター監視装置は、前記ＬＴＥ端末が前記ショートメールを受信した場合に、前記ＬＴＥ端末の常時接続先を前記１のアクセスポイントから前記他の監視センターが接続されている他のアクセスポイントに切換えて、前記他の監視センターとの間でデータの授受を行うこと、を特徴とする。また、本発明の無線遠隔監視システムにおいて、前記他の監視センターは、前記第２国の電話通信網を介して前記ＬＴＥ回線網に接続されていること、としてもよい。
【国際調査報告】
2019207765.tif 000010
2019207765.tif 000011
2019207765.tif 000012